(57)【要約】【課題】身体へ装着する場所を選ばず、プレーヤーの最も扱いやすい位置に取り付けることができるホールホルダーを提供することである。【解決手段】第１の磁石（Ｍ１）を取付けた第１の板状装着部（Ｐ１）にボール保持部（ｂＨ）を取付けたボール保持装着部（ｂＨＰ１）と第２の磁石（Ｍ２）を取付けた第２の板状装着部（Ｐ２）との組合せからなるボールホルダーにおいて、第１の磁石（Ｍ１）と第２の磁石（Ｍ２）は共に吸着するように構成されており、ボール保持装着部（ｂＨＰ１）と第２の板状装着部（Ｐ２）とを着衣（ｃ）等に挟み付けて吸着させることによりボール保持装着部（ｂＨＰ１）を着衣（ｃ）に装着させることを特徴とするボールホルダー。【選択図】図１
2016022018.tif 000002
【特許請求の範囲】
【請求項１】
第１の磁石（Ｍ１）を取付けた第１の板状装着部（Ｐ１）にボール保持部（ｂＨ）を取付けたボール保持装着部（ｂＨＰ１）と第２の磁石（Ｍ２）を取付けた第２の板状装着部（Ｐ２）との組合せからなるボールホルダーにおいて、第１の磁石（Ｍ１）と第２の磁石（Ｍ２）は共に吸着するように構成されており、ボール保持装着部（ｂＨＰ１）と第２の板状装着部（Ｐ２）とを着衣（ｃ）等に挟み付けて吸着させることによりボール保持装着部（ｂＨＰ１）を着衣（ｃ）に装着させることを特徴とするボールホルダー。
【請求項２】
第１の磁石（Ｍ１）と第２の磁石（Ｍ２）は１又は２以上であり、ボールホルダーを着衣（ｃ）等に装着させて使用する際には、１又は２以上の第１の磁石（Ｍ１）の位置と１又は２以上の第２磁石の位置が対応するように構成されていることを特徴とする請求項１に記載されたボールホルダー。
【請求項３】
１又は２以上の第１の磁石（Ｍ１）と第２の磁石（Ｍ２）の配置が、略正方形（Ｒ）の四隅部と中央部であることを特徴とする請求項１〜２の何れかに記載されたボールホルダー。
【請求項４】
第１の磁石（Ｍ１）の吸引力で金属体入りのボールマーカー（ｂｍ）を保持することを特徴とする請求項１〜３の何れかに記載されたボールホルダー。
【請求項５】
ボール保持装着部（ｂＨＰ１）の上部開口部（Ｏｔ）の面積が下部開口部（Ｏｂ）の面積より大きいことを特徴とする請求項１〜４の何れかに記載されたボールホルダー。
【請求項６】
第１の板状装着部（Ｐ１）が２枚の板材からなり、板材底部が緩やかなＶ字形に切取り後接着し、接着した中央部分を逆Ｖ字形に切取り、２枚の板材の間に挟むための、ボール保持装着部（ｂＨＰ１）としていること１又は２以上の第１の磁石（Ｍ１）と第２の磁石（Ｍ２）の配置が、略正方形（Ｒ）（Ｒ）の四隅部と中央部であることを特徴とする請求項１〜４の何れかに記載されたボールホルダー。
【請求項７】
ボール保持部（ｂＨ）の側面、及び／又は、底部を一部切取ったことを特徴とする請求項１〜６の何れかに記載されたボールホルダー。
【請求項８】
第１の磁石（Ｍ１）を取付けた第１の板状装着部（Ｐ１）、第２の磁石（Ｍ２）を取付けた第２の板状装着部（Ｐ２）の何れか／両方に、市販の小物入れや容器類を取付けるためのマジックテープ（ＭＴ）を取付けたことを特徴とする請求項１〜７の何れかに記載されたボールホルダー。
【発明の詳細な説明】
【技術分野】
【０００１】
本発明は、ボールホルダーに関する。
【背景技術】
【０００２】
グランドゴルフやパークゴルフなどの球技では、競技開始前や終了後のボールの保持だけでなく、競技中にも一時的にボールが取り除かれることから、ボールホルダーが市販されている。
【０００３】
市販のボールホルダーは、ベルトに取り付けるように作られていることから、上着丈が長い場合には使用しにくいだけでなく、ベルトをあまり使用しない女性には使い勝手が悪く、靴紐に挟みこんで使用することもできるが、ボールの着脱時にかがみこまなければならず、広く使用されるにいたっていない。
先行技術文献については、本発明と関連する特許文献を発見できなかったので、特許文献についての記載は省略する。
【０００４】
【発明の概要】
【発明が解決しようとする課題】
【０００５】
本発明は、上記従来技術が有する不具合や欠点を解消するものであり、その課題は以下の通りである。
○本発明が解決しようとする第１課題
本発明が解決しようとする第１課題は、身体へ装着する場所を選ばず、プレーヤーの最も扱いやすい位置に取り付けることができるホールホルダーを提供することである。
○本発明が解決しようとする第２課題
本発明が解決しようとする第２課題は、ボール（ｂ）を装着する同じ位置において、予備のマーカーを取付けることができるホールホルダーを提供することである。
○本発明が解決しようとする第３課題
本発明が解決しようとする第３課題は、ボール（ｂ）を装着する同じ位置において、小物入れや容器類を取付けることができるホールホルダーを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○ボールホルダーとは、ボール保持装着部（ｂＨＰ１）と第２の板状装着部（Ｐ２）の組み合せである。
○第１の磁石（Ｍ１）とは、第１の板状装着部（Ｐ１）に取付けられた永久磁石である。第２の磁石（Ｍ２）と組合せて、着衣（ｃ）等に挟み付けて吸着させることによりボール保持装着部（ｂＨＰ１）を着衣（ｃ）に装着させるものである。
○第２の磁石（Ｍ２）とは、第２の板状装着部（Ｐ２）に取付けられた永久磁石である。第１の磁石（Ｍ１）と組合せて、着衣（ｃ）等に挟み付けて吸着させることによりボール保持装着部（ｂＨＰ１）を着衣（ｃ）に装着させるものである。
○第１の板状装着部（Ｐ１）とは、第２の板状装着部（Ｐ２）と組合せて、着衣（ｃ）等に挟み付けて吸着させることによりボール保持装着部（ｂＨＰ１）を着衣（ｃ）に装着させるものである。
○第２の板状装着部（Ｐ２）とは、第１の板状装着部（Ｐ１）と組合せて、着衣（ｃ）等に挟み付けて吸着させることによりボール保持装着部（ｂＨＰ１）を着衣（ｃ）に装着させるものである。
○ボール保持装着部（ｂＨＰ１）とは、第１の磁石（Ｍ１）を取付けた第１の板状装着部（Ｐ１）にボール保持部（ｂＨ）を取付けたものである。
○ボール保持部（ｂＨ）とは、ボール（ｂ）に接触して保持する部分である。ボール保持部（ｂＨ）は、ボール保持をすることが可能であればどのような形態でもよく、例えば、ボール保持部（ｂＨ）の上部から収納し、ボール保持部（ｂＨ）の上部から取り出す、上部が開口された容器状のものでもよく、ボール保持部（ｂＨ）の下部から収納し、ボール保持部（ｂＨ）の下部から取り出すものでもよい。
○着衣（ｃ）とは、身につけている衣服である。
○正方形（Ｒ）とは、４辺の長さが等しい長方形である。
○ボール（ｂ）とは、スポーツや遊戯（例えば、グラウンドゴルフ、パークゴルフ等）に使う、樹脂などで作った球状のものである。
○ボールマーカー（ｂｍ）とは、ボール（ｂ）を取り上げて、その代わりにボール位置をマークするためのものである。
○上部開口部（Ｏｔ）とは、ボール保持装着部（ｂＨＰ１）上部の開口部分で、開口した部分からボール（ｂ）を収納させて保持させる。
○下部開口部（Ｏｂ）とは、ボール保持装着部（ｂＨＰ１）下部の開口部分で、開口した部分から収納されたボール（ｂ）を手で押し上げ、上部開口部（Ｏｔ）から取り出す。
○マジックテープ（ＭＴ）とは、鉤状とパイル状の表面を持つ２枚一組からなり、重ね合わせて留めるテープをいう。マジックテープは登録商標である。
○正面と背面について
ボール保持装着部（ｂＨＰ１）と第２の板状装着部（Ｐ２）とを着衣（ｃ）等に挟み付けて吸着させることによりボール保持装着部（ｂＨＰ１）を着衣（ｃ）に装着させた場合において、ボール保持装着部（ｂＨＰ１）側が正面であり、第２の板状装着部（Ｐ２）側が背面であると定義することとする（［図１］〜［図６］）。
本ボールホルダー（１００）全体について適用されるほか、本ボールホルダー（１００）の構成要件であるボール保持装着部（ｂＨＰ１）、第２の板状装着部（Ｐ２）等についても統一して適用される。
例えば、ボール保持装着部（ｂＨＰ１）の正面斜視図、背面斜視図は、上記により定義した正面（右上）側からボール保持装着部（ｂＨＰ１）見た斜視図、上記により定義した背面（左上）側から見たボール保持装着部（ｂＨＰ１）を見た斜視図の意味である。
第２の板状装着部（Ｐ２）の正面斜視図、背面斜視図とは、上記により定義した正面（右上）側から第２の板状装着部（Ｐ２）を見た斜視図、上記により定義した背面（右上）側から第２の板状装着部（Ｐ２）を見た斜視図の意味である。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、第１の磁石（Ｍ１）を取付けた第１の板状装着部（Ｐ１）にボール保持部（ｂＨ）を取付けたボール保持装着部（ｂＨＰ１）と第２の磁石（Ｍ２）を取付けた第２の板状装着部（Ｐ２）との組合せからなるボールホルダーにおいて、第１の磁石（Ｍ１）と第２の磁石（Ｍ２）は共に吸着するように構成されており、ボール保持装着部（ｂＨＰ１）と第２の板状装着部（Ｐ２）とを着衣（ｃ）等に挟み付けて吸着させることによりボール保持装着部（ｂＨＰ１）を着衣（ｃ）に装着させることを特徴とするボールホルダーである。
○第２の発明（請求項２に記載の発明）
上記の課題を解決するための第２の発明（請求項２に記載の発明）は、第１の磁石（Ｍ１）と第２の磁石（Ｍ２）は１又は２以上であり、ボールホルダーを着衣（ｃ）等に装着させて使用する際には、１又は２以上の第１の磁石（Ｍ１）の位置と１又は２以上の第２磁石の位置が対応するように構成されていることを特徴とする請求項１に記載されたボールホルダーである。
○第３の発明（請求項３に記載の発明）  
上記の課題を解決するための第３の発明（請求項３に記載の発明）は、１又は２以上の第１の磁石（Ｍ１）と第２の磁石（Ｍ２）の配置が、略正方形（Ｒ）の四隅部と中央部であることを特徴とする請求項１〜２の何れかに記載されたボールホルダーである。
○第４の発明（請求項４に記載の発明）  
上記の課題を解決するための第４の発明（請求項４に記載の発明）は、第１の磁石（Ｍ１）の吸引力で金属体入りのボールマーカー（ｂｍ）を保持することを特徴とする請求項１〜３の何れかに記載されたボールホルダーである。
○第５の発明（請求項５に記載の発明）
上記の課題を解決するための第５の発明（請求項５に記載の発明）は、ボール保持装着部（ｂＨＰ１）の上部開口部（Ｏｔ）の面積が下部開口部（Ｏｂ）の面積より大きいことを特徴とする請求項１〜４の何れかに記載されたボールホルダーである。
○第６の発明（請求項６に記載の発明）
上記の課題を解決するための第６の発明（請求項６に記載の発明）は、第１の板状装着部（Ｐ１）が２枚の板材からなり、板材底部が緩やかなＶ字形に切取り後接着し、接着した中央部分を逆Ｖ字形に切取り、２枚の板材の間に挟むための、ボール保持装着部（ｂＨＰ１）としていること１又は２以上の第１の磁石（Ｍ１）と第２の磁石（Ｍ２）の配置が、略正方形（Ｒ）の四隅部と中央部であることを特徴とする請求項１〜４の何れかに記載されたボールホルダーである。
○第７の発明（請求項７に記載の発明）
上記の課題を解決するための第７の発明（請求項７に記載の発明）は、ボール保持部（ｂＨ）の側面、及び／又は、底部を一部切取ったことを特徴とする請求項１〜６の何れかに記載されたボールホルダーである。
○第８の発明（請求項８に記載の発明）
上記の課題を解決するための第８の発明（請求項８に記載の発明）は、第１の磁石（Ｍ１）を取付けた第１の板状装着部（Ｐ１）、第２の磁石（Ｍ２）を取付けた第２の板状装着部（Ｐ２）の何れか／両方に、市販の小物入れや容器類を取付けるためのマジックテープ（ＭＴ）を取付けたことを特徴とする請求項１〜７の何れかに記載されたボールホルダーである。
【発明の効果】
【０００７】
本発明は、上記のような特徴的構成要件から構成され、特徴的構成要件に応じた、以下のような本願発明特有の効果を奏する。
また、上記の各発明に応じた、上記のような特徴的構成要件から構成されたボールホルダーによれば、本願発明の課題を十分解消することができた。
○第１の発明の効果
第１の発明によれば、第１の磁石（Ｍ１）を取付けた第１の板状装着部（Ｐ１）にボール保持部（ｂＨ）を取付けたボール保持装着部（ｂＨＰ１）と第２の磁石（Ｍ２）を取付けた第２の板状装着部（Ｐ２）との組合せからなるボールホルダーにおいて、第１の磁石（Ｍ１）と第２の磁石（Ｍ２）は共に吸着するように構成されており、ボール保持装着部（ｂＨＰ１）と第２の板状装着部（Ｐ２）とを着衣（ｃ）等に挟み付けて吸着させることによりボール保持装着部（ｂＨＰ１）を着衣（ｃ）に装着させることという特徴的な構成要件により、本発明が解決しようとする第１課題を達成することができ、当業者予測不可能な顕著な効果を奏することができた。
○第２の発明の効果
第２の発明によれば、第１の磁石（Ｍ１）と第２の磁石（Ｍ２）は１又は２以上であり、ボールホルダーを着衣（ｃ）等に装着させて使用する際には、１又は２以上の第１の磁石（Ｍ１）の位置と１又は２以上の第２磁石の位置が対応するように構成されていることという特徴的な構成要件により、本発明が解決しようとする第１課題を達成することができ、当業者予測不可能な顕著な効果を奏することができた。
○第３の発明の効果
第３の発明によれば、１又は２以上の第１の磁石（Ｍ１）と第２の磁石（Ｍ２）の配置が、略正方形（Ｒ）の四隅部と中央部であることという特徴的な構成要件により、本発明が解決しようとする第１課題を達成することができ、当業者予測不可能な顕著な効果を奏することができた。
○第４の発明の効果
第４の発明によれば、第１の磁石（Ｍ１）の吸引力で金属体入りのボールマーカー（ｂｍ）を保持することという特徴的な構成要件により、本発明が解決しようとする第１課題〜第２課題を達成することができ、当業者予測不可能な顕著な効果を奏することができた。
○第５の発明の効果
第５の発明によれば、ボール保持装着部（ｂＨＰ１）の上部開口部（Ｏｔ）の面積が下部開口部（Ｏｂ）の面積より大きいことという特徴的な構成要件により、本発明が解決しようとする第１課題〜第２課題を達成することができ、当業者予測不可能な顕著な効果を奏することができた。
○第６の発明の効果
第６の発明によれば、第１の板状装着部（Ｐ１）が２枚の板材からなり、板材底部が緩やかなＶ字形に切取り後接着し、接着した中央部分を逆Ｖ字形に切取り、２枚の板材の間に挟むための、ボール保持装着部（ｂＨＰ１）としていること１又は２以上の第１の磁石（Ｍ１）と第２の磁石（Ｍ２）の配置が、略正方形（Ｒ）の四隅部と中央部であることという特徴的な構成要件により、本発明が解決しようとする第１課題〜第２課題を達成することができ、当業者予測不可能な顕著な効果を奏することができた。
○第７の発明の効果
第７の発明によれば、ボール保持部（ｂＨ）の側面、及び／又は、底部を一部切取ったことという特徴的な構成要件により、本発明が解決しようとする第１課題〜第２課題を達成することができ、当業者予測不可能な顕著な効果を奏することができた。
○第８の発明の効果
第８の発明によれば、第１の磁石（Ｍ１）を取付けた第１の板状装着部（Ｐ１）、第２の磁石（Ｍ２）を取付けた第２の板状装着部（Ｐ２）の何れか／両方に、市販の小物入れや容器類を取付けるためのマジックテープ（ＭＴ）を取付けたことという特徴的な構成要件により、本発明が解決しようとする第１課題〜第３課題を達成することができ、当業者予測不可能な顕著な効果を奏することができた。
【発明を実施するための最良の形態】
【０００８】
以下、本発明に係る、ボールホルダーに関する最良の実施形態について、図面を参照しながら説明する。  
図１は、本発明に係るボールホルダーの斜視図である。図１（ａ）は、ボール保持装着部ｂＨＰ１の正面斜視図（上段に記載された図）と背面斜視図（下段に記載された図）であり、図１（ｂ）は、第２の板状装着部Ｐ２の正面斜視図（上段に記載された図）と背面斜視図（下段に記載された図）である。
図２は、本発明に係るボールホルダーの側面断面図である。
図３（ａ）は、本発明に係るボールホルダーの正面図である。図３（ｂ）は、本発明に係るボールホルダーの側面図である。
図４（ａ）は、本発明に係るボールホルダーの正面図であり、図４（ｂ）は、本発明に係るボールホルダーの側面図である。
図５（ａ）は、本発明に係るボールホルダーの正面図であり、図５（ｂ）は、本発明に係るボールホルダーの側面図であり、図５（Ｃ）は、本発明に係るボールホルダーの底面図である。
図６（ａ）、（ｂ）、（ｃ）、は、本発明に係る第１の板状装着部Ｐ１、第２の板状装着部Ｐ２の構成の第１シートＳＴ１、第２シートＳＴ２、第３シートＳＴ３、表す図面である。図６（ｄ）、は、本発明に係る第１の板状装着部Ｐ１、第２の板状装着部Ｐ２の側面断面図である。
以下、本発明に係る、ボールホルダーについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
第１の発明は、第１の磁石Ｍ１を取付けた第１の板状装着部Ｐ１にボール保持部ｂＨを取付けたボール保持装着部ｂＨＰ１と第２の磁石Ｍ２を取付けた第２の板状装着部Ｐ２との組合せからなるボールホルダーにおいて、第１の磁石Ｍ１と第２の磁石Ｍ２は共に吸着するように構成されており、ボール保持装着部ｂＨＰ１と第２の板状装着部Ｐ２とを着衣ｃ等に挟み付けて吸着させることによりボール保持装着部ｂＨＰ１を着衣ｃに装着させることを特徴とするボールホルダーである。
第１の磁石Ｍ１と第２の磁石Ｍ２は、正負逆極になるように構成され、両磁石は吸着力により、着衣ｃ等に挟み付けて吸着させることによりボール保持装着部ｂＨＰ１を着衣ｃに装着させることができる。
第１の板状装着部Ｐ１は、例えば、背面側から正面側へ、順に第１シートＳＴ１、第２シートＳＴ２、第３シートＳＴ３の３層構造になっている。第１シートＳＴ１は表面シートであり、第１シートＳＴ１に、磁石Ｍ１を取付けるための磁石取付穴ＭＨを設けている。第２シートＳＴ２は網状補強シートであり、第１の磁石Ｍ１の取付けを補強するために設けられている。第３シートＳＴ３は、裏面に張るシートであり、滑らかな表面となっている。第１シートＳＴ１と第３シートＳＴ３は、例えば、皮革等で製作される。ただし、必ずしも、上述の形態に限定されるものではない。
第２の板状装着部Ｐ２も、例えば、正面側から背面側へ、順に第１シートＳＴ１、第２シートＳＴ２、第３シートＳＴ３の３層構造になっている。第１シートＳＴ１は表面シートであり、第１シートＳＴ１に、磁石Ｍ２を取付けるための磁石取付穴ＭＨを設けている。第２シートＳＴ２は網状補強シートであり、第２の磁石Ｍ２の取付けを補強するために設けられている。第３シートＳＴ３は、裏面に張るシートであり、滑らかな表面となっている。第１シートＳＴ１と第３シートＳＴ３は、例えば、皮革等で製作される。ただし、必ずしも、上述の形態に限定されるものではない。  
第１の発明によれば、第１の磁石Ｍ１を取付けた第１の板状装着部Ｐ１にボール保持部ｂＨを取付けたボール保持装着部ｂＨＰ１と第２の磁石Ｍ２を取付けた第２の板状装着部Ｐ２との組合せからなるボールホルダーにおいて、第１の磁石Ｍ１と第２の磁石Ｍ２は共に吸着するように構成されており、ボール保持装着部ｂＨＰ１と第２の板状装着部Ｐ２とを着衣ｃ等に挟み付けて吸着させることによりボール保持装着部ｂＨＰ１を着衣ｃに装着させることという特徴的な構成要件により、本発明が解決しようとする第１課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のボールホルダーにおいて、第１の磁石Ｍ１と第２の磁石Ｍ２は１又は２以上であり、ボールホルダー１００を着衣ｃ等に装着させて使用する際には、１又は２以上の第１の磁石Ｍ１の位置と１又は２以上の第２磁石の位置が対応するように構成されていることが開示されている。
ここに、２以上の第１の磁石Ｍ１は、第１の磁石Ｍ１１、Ｍ１２…、２以上の第２の磁石Ｍ２は、第２の磁石Ｍ２１、Ｍ２２…、と表されるものとする。磁石Ｍ１１、Ｍ１２…、と磁石Ｍ２１、Ｍ２２…、が対応する。
磁石Ｍ１１、Ｍ１２…、と磁石Ｍ２１、Ｍ２２…、の大きさ、数量は必要な吸引力を確保すべく適宜変えることができる。
第１の磁石Ｍ１１、Ｍ１２…、と第２の磁石Ｍ２１、Ｍ２２…は１又は２以上であり、ボールホルダー１００を着衣ｃ等に装着させて使用する際には、第１の磁石Ｍ１１、Ｍ１２…、と第２の磁石Ｍ２１、Ｍ２２…の位置は対応し、略同じ位置にある。
第１の磁石Ｍ１１、Ｍ１２…、と第２の磁石Ｍ２１、Ｍ２２…は対応する磁石は正負逆極になっている必要ある。
磁石Ｍ１１が正極であれば、対応する磁石Ｍ２１は負極である必要があり、磁石Ｍ１２が負極であれば、対応する磁石Ｍ２２は正極である必要がある。
一般的には、第１の磁石Ｍ１１、Ｍ１２…、は全て正極（負極）であり、第２の磁石Ｍ２１、Ｍ２２…、は全て負極（正極）であるように選択される。
○第２の発明によれば、第１の磁石Ｍ１と第２の磁石Ｍ２は１又は２以上であり、ボールホルダー１００を着衣ｃ等に装着させて使用する際には、１又は２以上の第１の磁石Ｍ１の位置と１又は２以上の第２磁石の位置が対応するように構成されていることという特徴的な構成要件により、本発明が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のボールホルダーにおいて、１又は２以上の第１の磁石Ｍ１と第２の磁石Ｍ２の配置が、略正方形Ｒの四隅部と中央部であることを特徴とする請求項１〜２の何れかに記載されたボールホルダーが開示されている。
ここに、１又は２以上の第１の磁石Ｍ１と第２の磁石Ｍ２の配置が、略正方形Ｒの四隅部と中央部であることとしたのは、正方形にすることで磁石Ｍ１を取付けた第１の板状装着部Ｐ１と、磁石Ｍ２を取付けた第２の板状装着部Ｐ２を９０度の角度をもってあらゆる方向に取付けることが可能となるからである。
第３の発明によれば、１又は２以上の第１の磁石Ｍ１と第２の磁石Ｍ２の配置が、略正方形Ｒの四隅部と中央部であることという特徴的な構成要件により、本発明が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のボールホルダーにおいて、第１の磁石Ｍ１の吸引力で金属体入りのボールマーカーｂｍを保持することを特徴とする請求項１〜３の何れかに記載されたボールホルダーが開示されている。ボールマーカー保持部ｂｍＨの背面側に第１の磁石Ｍ１が設置されている。
第４の発明によれば、第１の磁石Ｍ１の吸引力で金属体入りのボールマーカーｂｍを保持することという特徴的な構成要件により、本発明が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のボールホルダーにおいて、ボール保持部ｂＨの上部開口部Ｏｔの面積が下部開口部Ｏｂの面積より大きいことを特徴とする請求項１〜４の何れかに記載されたボールホルダーが開示されている。
ボール保持部ｂＨの上部開口部Ｏｔの面積が下部開口部Ｏｂの面積より大きいようにしているのは、ボールｂを確実に保持するとともに、ボールｂを上部開口部Ｏｔから容易に収納することができ、さらに、押し込むことにより、ボールｂの脱落を防止でき、取り出す際には、下部開口部Ｏｂから手でボールｂを押し上げて上部開口部Ｏｔから容易に取り出せるようにしているからである。
第５の発明によれば、ボール保持部ｂＨの上部開口部Ｏｔの面積が下部開口部Ｏｂの面積より大きいことという特徴的な構成要件により、本発明が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のボールホルダーにおいて、第１の板状装着部Ｐ１が２枚の板材からなり、板材底部が緩やかなＶ字形に切取り後接着し、接着した中央部分を逆Ｖ字形に切取り、２枚の板材の間に挟むための、ボール保持部ｂＨとしていること１又は２以上の第１の磁石Ｍ１と第２の磁石Ｍ２の配置が、略正方形Ｒの四隅部と中央部であることを特徴とする請求項１〜４の何れかに記載されたボールホルダーが開示されている。
○第６の発明の効果
第６の発明によれば、第１の板状装着部Ｐ１が２枚の板材からなり、板材底部が緩やかなＶ字形に切取り後接着し、接着した中央部分を逆Ｖ字形に切取り、２枚の板材の間に挟むための、ボール保持部ｂＨとしていること１又は２以上の第１の磁石Ｍ１と第２の磁石Ｍ２の配置が、略正方形Ｒの四隅部と中央部であることという特徴的な構成要件により、本発明が解決しようとする第１課題〜第３課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のボールホルダーにおいて、ボール保持装着部ｂＨの側面、及び／又は、底部を一部切取ったことを特徴とする請求項１〜６の何れかに記載されたボールホルダーが開示されている。
ボール保持装着部ｂＨの側面、及び／又は、底部を一部切取ったことにより、ボール保持部ｂＨのフレキシビリティーが増して、ボールｂの取出しが容易になる。
ボール保持装着部ｂＨの側面を一部切取ったことにより、ボール保持装着部ｂＨの側面とボールｂの摩擦力のみでボールＢを確実に保持できないおそれがあるので、ボールｂを確実に保持するためにボール保持装着部ｂＨの底部を設けたものである。
第７の発明によれば、ボール保持装着部ｂＨの側面、及び／又は、底部を一部切取ったことという特徴的な構成要件により、本発明が解決しようとする第１課題〜第３課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のボールホルダーにおいて、第１の磁石Ｍ１を取付けた第１の板状装着部Ｐ１、第２の磁石Ｍ２を取付けた第２の板状装着部Ｐ２の何れか／両方に、市販の小物入れや容器類を取付けるためのマジックテープＭＴを取付けたことを特徴とする請求項１〜７の何れかに記載されたボールホルダーが開示されている。
市販の容器類としては、例えば、ペットボトルの取付けを想定している。
実施態様としては、ボールホルダーを身体の左右に装着した場合において、ペットボトルの取付けは、一ヵ所にまとめるのではなく、ボールホルダーを身体の左右に分けるようにすることが実施例として考えられる。
したがって、一方のボールホルダーには、ボールを保持することなく、ペットボトルだけを取付けることも、本願に係るボールホルダーの使用態様として可能である。
第８の発明によれば、第１の磁石Ｍ１を取付けた第１の板状装着部Ｐ１、第２の磁石Ｍ２を取付けた第２の板状装着部Ｐ２の何れか／両方に、市販の小物入れや容器類を取付けるためのマジックテープＭＴを取付けたことという特徴的な構成要件により、本発明が解決しようとする第１課題〜第３課題を達成することができ、当業者予測不可能な顕著な効果を奏することができた。
【図面の簡単な説明】
【０００９】
【図１】図１は、本発明に係るボールホルダーの斜視図である。図１（ａ）は、ボール保持装着部ｂＨＰ１の正面斜視図（上段に記載された図）と背面斜視図（下段に記載された図）であり、図１（ｂ）は、第２の板状装着部Ｐ２の正面斜視図（上段に記載された図）と背面斜視図（下段に記載された図）である。
【図２】図２は、本発明に係るボールホルダーの側面断面図である。
【図３】図３（ａ）は、本発明に係るボールホルダーの正面図である。図３（ｂ）は、本発明に係るボールホルダーの側面図である。
【図４】図４（ａ）は、本発明に係るボールホルダーの正面図であり、図４（ｂ）は、本発明に係るボールホルダーの側面図である。
【図５】図５（ａ）は、本発明に係るボールホルダーの正面図であり、図５（ｂ）は、本発明に係るボールホルダーの側面図であり、図５（Ｃ）は、本発明に係るボールホルダーの底面図である。
【図６】図６（ａ）、（ｂ）、（ｃ）、は、本発明に係る第１の板状装着部Ｐ１、第２の板状装着部Ｐ２の構成の第１シートＳＴ１、第２シートＳＴ２、第３シートＳＴ３、表す図面である。図６（ｄ）、は、本発明に係る第１の板状装着部Ｐ１、第２の板状装着部Ｐ２の側面断面図である。
【符号の説明】
【００１０】
Ｍ１、Ｍ１１、Ｍ１２、………第１の磁石
Ｍ２、Ｍ２１、Ｍ２２、………第２の磁石
Ｐ１……第１の板状装着部
Ｐ２……第２の板状装着部
ｂＨＰ１……ボール保持装着部
ｂＨ……ボール保持部ｂＨ
ｂｔ……底部
１００……ボールホルダー
ｃ……着衣
Ｒ……正方形
ｂ……ボール
ｂｍ……ボールマーカー
ｂｍＨ……ボールマーカー保持部
Ｏｔ……上部開口部
Ｏｂ……下部開口部
ＭＴ……マジックテープ
ＳＴ１……第１シート（表面シート）
ＳＴ２……第２シート（補強シート）
ＳＴ３……第３シート（裏面シート）
【図１】
2016022018.tif 000003
【図２】
2016022018.tif 000004
【図３】
2016022018.tif 000005
【図４】
2016022018.tif 000006
【図５】
2016022018.tif 000007
【図６】
2016022018.tif 000008